(57)【要約】【課題】  負荷の制御を行う複数台のターミナルユニット（Ｔ／Ｕ）、１または複数台のスイッチユニットと、１または複数台のセンサとが共通の通信線を介して伝送ユニットに接続されて成り、前記伝送ユニットが、スイッチユニットおよびセンサからの入力に応答して、前記Ｔ／Ｕを介して照明機器を制御可能であり、かつセンサ入切用スイッチからの入力によって前記センサの機能を停止可能な監視制御システムにおいて、アドレス空間を有効に使用し、多くの制御端末を収容可能にする。【解決手段】  センサＧは常時動作とし、伝送ユニットＣは、センサ入切用スイッチＥからの入力によって、前記センサＧの機能を停止する場合にはセンサＧからの入力を無効とする。したがって、センサ検知結果は、従来通り、所定アドレスで送信されるけれども、その機能のＯＮ／ＯＦＦを制御するＴ／ＵＡＯは、伝送ユニットＣ内での仮想動作によって、センサＧには不要にできる。【選択図】      図１
2006093982.tif 000002
【特許請求の範囲】
【請求項１】
負荷の制御を行う複数台の制御端末と、１または複数台の操作端末と、１または複数台のセンサとが共通の通信線を介して監視制御装置に接続されて成り、前記監視制御装置が、操作端末およびセンサからの入力に応答して、前記制御端末を介して負荷を制御可能であり、かつ前記操作端末からの入力によって前記センサの機能を停止可能な監視制御システムにおいて、
前記センサは常時動作とし、前記監視制御装置は、前記操作端末からの入力によって、前記センサの機能を停止する場合にはセンサからの入力を無効とすることを特徴とする監視制御システム。
【請求項２】
前記センサは、複数の検知対象項目を有する複合センサであり、かつ予め定める検知対象項目で予め定める検知結果が得られると、残余の検知対象項目による検知機能を停止可能なセンサであり、前記検知機能を停止すると、前記監視制御装置へ検知機能停止中であることを表す信号を送信し、
前記信号に応答して前記監視制御装置から出力される表示信号を受信し、前記検知機能停止中であることを表示する表示端末をさらに備えることを特徴とする請求項１記載の監視制御システム。
【請求項３】
負荷の制御を行う複数台の制御端末と、１または複数台の操作端末と、１または複数台のセンサとが共通の通信線を介して接続され、前記操作端末およびセンサからの入力に応答して、前記制御端末を介して負荷を制御可能であり、かつ前記操作端末からの入力によって前記センサの機能を停止させる監視制御装置において、
前記操作端末からの入力によって、前記センサの機能を停止する場合には、センサからの入力を無効とすることを特徴とする監視制御装置。
【請求項４】
負荷の制御を行う複数台の制御端末と、１または複数台の操作端末と、１または複数台のセンサとが共通の通信線を介して接続され、前記操作端末およびセンサからの入力に応答して、前記制御端末を介して負荷を制御する監視制御装置におけるセンサ動作制御方法において、
前記センサは、送信すべき事象の発生を検知すると、割込み信号および制御要求を前記監視制御装置に送信し、
前記制御要求に応答して、前記監視制御装置は、予め操作端末からの入力によって、前記センサの動作停止が設定されている場合には前記センサへ動作禁止信号を送信し、前記センサの動作許可が設定されている場合には前記センサへ動作許可信号を送信し、
前記動作許可信号に応答して、前記センサは、動作による割込み信号および負荷の制御要求を前記監視制御装置に送信し、
前記負荷の制御要求に応答して、監視制御装置は、制御端末へ、該当負荷の制御信号を送信することを特徴とする監視制御装置におけるセンサ動作制御方法。
【発明の詳細な説明】
【技術分野】
【０００１】
本発明は、照明機器の制御などの多くの負荷機器の制御に用いられる監視制御システムならびに監視制御装置およびそのセンサ動作制御方法に関する。
【背景技術】
【０００２】
上記の照明機器の制御などの多くの負荷機器の制御を行う監視制御システムは、大略的に、実際に負荷機器の制御を行う複数台の制御端末と、ＯＮ／ＯＦＦ操作などが行われる１または複数台の操作端末とが、共通の通信線を介して監視制御装置に接続されて構成される。そして、前記操作端末への操作に応答して、監視制御装置が該当負荷機器の制御端末をアドレス指定して制御信号を送信し、ターミナルユニットやリレーなどで構成されるその制御端末が負荷機器を制御することで、前記負荷機器を個別に制御したり、グループで制御したりする多様な制御が可能になっている。
【０００３】
そのような監視制御システムにおいて、たとえば照明監視制御システムにおける照度センサや人感センサなどの１または複数台のセンサが設けられ、センサ連動の制御が行われることもある。具体的には、前記照明監視制御システムでは、照度センサによって照度レベルが予め定める値以上であることが検知されると、点灯制御中の照明機器を減光させたり、人感センサによって人の存在が検知されたときに、消灯している照明機器を点灯させたりするというようなものである。
【０００４】
ところが、前述のように、元々負荷機器自体が数多く存在する上に、そのようなセンサを設けると、アドレス不足が生じるという問題がある。特に、前記照明監視制御システムを例にすると、照度センサや人感センサなどのセンサの検知結果に拘わらず、強制的に照明機器のＯＮ／ＯＦＦ制御が可能なように、センサには制御端末と同様にターミナルユニットを設け、操作端末からの操作によって、監視制御装置がセンサの機能を停止させることがある。したがって、センサには、検知結果を監視制御装置へ送信するためのアドレスと、機能停止を制御するためのアドレスとの２つが必要になり、システム全体で予め定める範囲に制限されるアドレス空間内に、収容できる制御端末数が大きく減少してしまうという問題がある。
【０００５】
この点、特許文献１には、グループ制御する場合のグループアドレスと固有アドレスとの総数が所定値を超える場合と超えない場合とで、グループ制御情報の管理方法を変更することで、アドレス制限を行っている。具体的には、センサおよびそれによって制御される照明機器に同じグループアドレスを付与し、センサからの検知信号によって同じグループ内の照明機器は直接制御され、制限のあるグループ数でグループアドレスが付与できなかった照明機器は、センサとの対応関係を監視制御装置側で保持しておき、そのセンサの検知によって送信された架空グループアドレスを監視制御装置が受信し、対応する制御端末を固有アドレスで指定して個別に制御することで、所定数を超えるグループアドレスの設定を可能にしている。
【特許文献１】特開２００４−６３１６１号公報
【発明の開示】
【発明が解決しようとする課題】
【０００６】
上述の従来技術では、グループアドレスを前記所定数に制限することで、グループアドレスと固有アドレスとの総数を所定値に制限している。しかしながら、各照明機器およびセンサには、それぞれ固有アドレスが付与されており、前述のような固有アドレスに対する問題が生じ、収容可能な制御端末数には変化はない。
【０００７】
本発明の目的は、アドレス空間を有効に使用し、多くの制御端末を収容することができる監視制御システムならびに監視制御装置およびそのセンサ動作制御方法を提供することである。
【課題を解決するための手段】
【０００８】
本発明の監視制御システムは、負荷の制御を行う複数台の制御端末と、１または複数台の操作端末と、１または複数台のセンサとが共通の通信線を介して監視制御装置に接続されて成り、前記監視制御装置が、操作端末およびセンサからの入力に応答して、前記制御端末を介して負荷を制御可能であり、かつ前記操作端末からの入力によって前記センサの機能を停止可能な監視制御システムにおいて、前記センサは常時動作とし、前記監視制御装置は、前記操作端末からの入力によって、前記センサの機能を停止する場合にはセンサからの入力を無効とすることを特徴とする。
【０００９】
上記の構成によれば、照明機器の制御などの負荷の制御を行う複数台の制御端末と、１または複数台の操作端末と、１または複数台のセンサとが共通の通信線を介して監視制御装置に接続されて成る監視制御システムにおいて、たとえば照度センサによって照度レベルが予め定める値以上であることが検知されると前記照明機器を減光させたり、人感センサによって人の存在が検知されたときに前記照明機器を点灯させたりするようなセンサ連動の制御が可能であり、かつ操作端末からの操作によって、センサ機能を停止させ、強制的に点滅を制御させたりするにあたって、センサは常時動作とし、監視制御装置は、操作端末からの入力によって、前記センサの機能を停止する場合にはセンサからの入力を無効とする。
【００１０】
したがって、センサ検知結果は、従来通り、所定アドレスで送信されるけれども、その機能のＯＮ／ＯＦＦを制御する制御端末は、監視制御装置内での前記制御端末に対応した仮想動作によって、センサには不要となり、予め定める範囲に制限されるアドレス空間を有効に使用し、多くの制御端末を収容することができる。
【００１１】
また、本発明の監視制御システムでは、前記センサは、複数の検知対象項目を有する複合センサであり、かつ予め定める検知対象項目で予め定める検知結果が得られると、残余の検知対象項目による検知機能を停止可能なセンサであり、前記検知機能を停止すると、前記監視制御装置へ検知機能停止中であることを表す信号を送信し、前記信号に応答して前記監視制御装置から出力される表示信号を受信し、前記検知機能停止中であることを表示する表示端末をさらに備えることを特徴とする。
【００１２】
上記の構成によれば、たとえば前記照明機器の制御を行う監視制御システムにおいて、前記センサが、たとえば照度レベルが予め定める値以上であることが検知されると前記照明機器を減光させたりする照度センサとしての機能と、人の存在が検知されたときに前記照明機器を点灯させたりする人感センサとしての機能とのように、複数の検知対象項目を有する複合センサである場合、たとえば人感センサで人の存在が検知されていても、照度センサでの検知結果を優先して、照度レベルが予め定める値以上であることが検知されていると、照明機器の点灯を行わないような予め定める検知対象項目で予め定める検知結果が得られると、残余の検知対象項目による検知機能を停止することがある。そのような場合、人感センサで人の存在が検知されているべきときに、照明機器の点灯が行われないと、検知機能停止中であるために点灯が行われないのか、人感センサの故障で点灯が行われないのかが分からなくなってしまう。
【００１３】
そこで、前記複合センサが検知機能停止中であると、前記監視制御装置へ、そのことを表す信号を送信し、それに応答した表示信号によって前記検知機能停止中であることを表示する表示端末を設けることで、検知機能停止中であるために制御が行われないのか、センサの故障で制御が行われないのかを判定することができる。
【００１４】
さらにまた、本発明の監視制御装置は、負荷の制御を行う複数台の制御端末と、１または複数台の操作端末と、１または複数台のセンサとが共通の通信線を介して接続され、前記操作端末およびセンサからの入力に応答して、前記制御端末を介して負荷を制御可能であり、かつ前記操作端末からの入力によって前記センサの機能を停止させる監視制御装置において、前記操作端末からの入力によって、前記センサの機能を停止する場合には、センサからの入力を無効とすることを特徴とする。
【００１５】
上記の構成によれば、照明機器の制御などの負荷の制御を行う複数台の制御端末と、１または複数台の操作端末と、１または複数台のセンサとが共通の通信線を介して接続される監視制御装置において、たとえば照度センサによって照度レベルが予め定める値以上であることが検知されると前記照明機器を減光させたり、人感センサによって人の存在が検知されたときに前記照明機器を点灯させたりするようなセンサ連動の制御が可能であり、かつ操作端末からの操作によって、センサ機能を停止させ、強制的に点滅を制御させたりするにあたって、操作端末からの入力によって、前記センサの機能を停止する場合にはセンサからの入力を無効とする。
【００１６】
したがって、センサ検知結果は、従来通り、所定アドレスで送信されるけれども、その機能のＯＮ／ＯＦＦを制御する制御端末は、監視制御装置内での前記制御端末に対応した仮想動作によって、センサには不要となり、該センサは常時動作させたままでよく、予め定める範囲に制限されるアドレス空間を有効に使用し、多くの制御端末を収容することができる。
【００１７】
また、本発明のセンサ動作制御方法は、負荷の制御を行う複数台の制御端末と、１または複数台の操作端末と、１または複数台のセンサとが共通の通信線を介して接続され、前記操作端末およびセンサからの入力に応答して、前記制御端末を介して負荷を制御する監視制御装置におけるセンサ動作制御方法において、前記センサは、送信すべき事象の発生を検知すると、割込み信号および制御要求を前記監視制御装置に送信し、前記制御要求に応答して、前記監視制御装置は、予め操作端末からの入力によって、前記センサの動作停止が設定されている場合には前記センサへ動作禁止信号を送信し、前記センサの動作許可が設定されている場合には前記センサへ動作許可信号を送信し、前記動作許可信号に応答して、前記センサは、動作による割込み信号および負荷の制御要求を前記監視制御装置に送信し、前記負荷の制御要求に応答して、監視制御装置は、制御端末へ、該当負荷の制御信号を送信することを特徴とする。
【００１８】
上記の構成によれば、照明機器の制御などの負荷の制御を行う複数台の制御端末と、１または複数台の操作端末と、１または複数台のセンサとが共通の通信線を介して接続される監視制御装置において、たとえば照度センサによって照度レベルが予め定める値以上であることが検知されると前記照明機器を減光させたり、人感センサによって人の存在が検知されたときに前記照明機器を点灯させたりするようなセンサ連動の制御が可能な監視制御装置において、操作端末からの操作によって前記センサの動作を制御するにあたって、上記の手順で信号を送受信することで、センサ動作のＯＮ／ＯＦＦを制御する制御端末は、監視制御装置内での前記制御端末に対応した仮想動作によって、センサには不要となり、該センサは常時動作させたままでよく、予め定める範囲に制限されるアドレス空間を有効に使用し、多くの制御端末を収容することができる。
【発明の効果】
【００１９】
本発明の監視制御システムならびに監視制御装置およびそのセンサ動作制御方法は、以上のように、照明機器の制御などの負荷の制御を行う複数台の制御端末と、１または複数台の操作端末と、１または複数台のセンサとが共通の通信線を介して監視制御装置に接続されて成る監視制御システムならびにそれにおける監視制御装置およびそのセンサ動作制御方法において、たとえば照度センサによって照度レベルが予め定める値以上であることが検知されると前記照明機器を減光させたり、人感センサによって人の存在が検知されたときに前記照明機器を点灯させたりするようなセンサ連動の制御が可能であり、かつ操作端末からの操作によって、センサ機能を停止させ、強制的に点滅を制御させたりするにあたって、センサは常時動作とし、監視制御装置は、操作端末からの入力によって、前記センサの機能を停止する場合にはセンサからの入力を無効とする。
【００２０】
それゆえ、センサ検知結果は、従来通り、所定アドレスで送信されるけれども、その機能のＯＮ／ＯＦＦを制御する制御端末は、監視制御装置内での前記制御端末に対応した仮想動作によって、センサには不要となり、予め定める範囲に制限されるアドレス空間を有効に使用し、多くの制御端末を収容することができる。
【発明を実施するための最良の形態】
【００２１】
［実施の形態１］
図１は、本発明の実施の一形態に係る照明監視制御システムのブロック図である。本システムでは、各照明機器Ｌ１，Ｌ２，・・・（総称するときは、以下参照符号Ｌで示す）に対応したリレーＲ１，Ｒ２，・・・（総称するときは、以下参照符号Ｒで示す）と、前記各リレーＲを個別に制御し、またはＯＮ／ＯＦＦ状態などの負荷状態の監視や、センサ連動などのためのセンサ状態の監視などの少なくとも一つを行う制御端末である複数ｎ台のターミナルユニット（Ｔ／Ｕ）Ａ１〜Ａｎ（総称するときは、以下参照符号Ａで示す）と、操作者によって点滅操作などが行われるとともに、制御状態を表示する操作端末である１または複数台のスイッチユニットＢと、センサＧと、操作者によって操作され、前記センサＣの動作をＯＮ／ＯＦＦするためのセンサ入切用スイッチＥとが、共通の通信線Ｎを介して、監視制御装置である伝送ユニットＣに接続されて構成されている。
【００２２】
前記スイッチユニットＢには、１または複数（図１では４つ）のスイッチＳ１〜Ｓ４が設けられており、各スイッチＳ１〜Ｓ４によって、各照明機器Ｌを個別に制御したり、グループで纏めて制御したり、複数のグループを設けてパターン制御したりするというような、多様な制御が可能になっている。そして、前記通信線Ｎには制御信号や監視信号が送信されるだけで、実際の電力線に接続されて照明機器Ｌの制御を行うのは前記リレーＲであり、前記電力線の複雑な引回しをなくし、また施工後にグループ割の変更などの制御態様の変更が可能になっている。各リレーＲは、前記Ｔ／ＵＡからの、たとえば２４Ｖの交流の制御信号に応答して、１００Ｖや２００Ｖの電灯線電力を制御して、各照明機器Ｌを駆動する。小容量で、小回路数であれば、前記リレーＲに、Ｔ／ＵＡの機能が内蔵されてもよい。
【００２３】
たとえば、スイッチＳ１によって負荷チャネル１のＴ／ＵＡ１の負荷ナンバー１の照明機器Ｌ１をＯＮ／ＯＦＦ制御し、同様にスイッチＳ２によって負荷ナンバー２の照明機器Ｌ２をＯＮ／ＯＦＦ制御し、スイッチＳ３によって負荷ナンバー３の照明機器Ｌ３をＯＮ／ＯＦＦ制御し、スイッチＳ４によって負荷ナンバー４の照明機器Ｌ４をＯＮ／ＯＦＦ制御するというような、従来のスイッチと同様の個別の負荷制御が可能であるだけでなく、スイッチＳ１によってＴ／ＵＡ１に接続された照明機器Ｌ１〜Ｌ４をＯＮ／ＯＦＦ制御し、同様にスイッチＳ２によってＴ／ＵＡ２に接続された照明機器Ｌ５〜Ｌ８をＯＮ／ＯＦＦ制御し、スイッチＳ３によってＴ／ＵＡ３に接続された照明機器Ｌ９〜Ｌ１２をＯＮ／ＯＦＦ制御するとともに、スイッチＳ４によって、総てのＴ／ＵＡ１〜Ａｎに接続された照明機器Ｌ１〜Ｌｘを一括してＯＮ／ＯＦＦ制御するというようなことが可能になっている。
【００２４】
このため、伝送ユニットＣには、各スイッチＳ１〜Ｓ４が操作されたとき、どのＴ／Ｕの、どのリレーを、どのように制御するのかを表す対応表が予め作成されてストアされており、各ユニットＡ，Ｂ，Ｃには、前記制御信号や監視信号をやり取りするために、それぞれアドレスが設定されている。スイッチユニットＢには、各スイッチＳ１〜Ｓ４に近接して、制御状態や後述する異常表示を行うために、表示素子Ｄ１〜Ｄ４が設けられている。
【００２５】
前記センサＧは、たとえば照度センサであり、その場合、該センサＧによって照度レベルが予め定める値以上であることが検知されると、前記スイッチＳ１〜Ｓ４で点灯が選択されていても、伝送ユニットＣによって、予め該センサＧに対応付けられている照明機器を減光させたり、消灯させたりするセンサ連動制御が行われる。また、前記センサＧが人感センサである場合、人の存在が検知されたときに、伝送ユニットＣによって、予め該センサＧに対応付けられている照明機器を点灯させ、非検知となってから所定時間が経過したら消灯させたりするセンサ連動制御が行われる。
【００２６】
一方、センサ入切用スイッチＥを操作することで、後述するようにして前記センサＧの機能を停止させることが可能となっている。これによって、明るくても照明機器をフル点灯させたり、人が居ても消灯させたりする強制的な制御が可能になっている。
【００２７】
図２は、伝送ユニットＣの電気的構成を示すブロック図である。伝送ユニットＣは、制御手段であるＣＰＵ１と、送受信手段である送受信回路２と、短絡検出／表示回路３と、メモリ４と、電源回路５と、電源監視回路６とを備えて構成される。
【００２８】
前記送受信回路２は、前記一対の信号線から成る通信線Ｎを介して、たとえば前記２４Ｖの交流で、前記Ｔ／ＵＡ、スイッチユニットＢ、センサＧおよびセンサ入切用スイッチＥと通信を行う。前記ＣＰＵ１は、マイクロコンピュータなどで実現され、予め定める周期で前記送受信回路２から通信線Ｎを介して、前記Ｔ／ＵＡやスイッチユニットＢなどを個別にアドレス指定して通信を行い、前記制御信号や監視信号をやり取りする。前記メモリ４は、プログラムなどを記憶しているとともに、必要に応じて書換えられる前記の各スイッチＳに対応した制御態様が記憶されている。
【００２９】
前記短絡検出／表示回路３は、前記送受信回路２に関連して設けられ、前記通信線Ｎの一対の信号線間の短絡を検出し、短絡が発生した場合に表示を行う。また、前記送受信回路２は、Ｔ／ＵＡやスイッチユニットＢに予め定める周期で順にアクセスして、前記制御信号や監視信号を送信するけれども、それらからの返信信号は前記一対の信号線間に低抵抗を挿入することで得られる電流モードの信号であり、同じアドレスに設定されたＴ／Ｕが複数台ある場合には、前記返信信号に流れる電流が増加し、こうして重複接続を検知し、予め定めたアドレス空間内で、各端末には固有のアドレスしか設定できないようになっている。
【００３０】
前記電源回路５は、前記電力線からの電圧を整流・降圧し、５Ｖなどの予め定める低電圧に安定化させて前記ＣＰＵ１へ供給するとともに、前記２４Ｖなどの予め定める高電圧に安定化させて前記送受信回路２に供給する。前記送受信回路２は、この２４Ｖの直流を、送信すべき信号に応じて極性を反転させて送信することで、前記２４Ｖの交流での送信を行う。前記電源監視回路６は、この電源回路５への通電状態を監視し、停電後の制御回路１のリセットなどを行う。
【００３１】
図３は、前記Ｔ／ＵＡの電気的構成を示すブロック図である。Ｔ／ＵＡは、ＣＰＵ１１と、送受信回路１２と、表示ＬＥＤ１３と、操作スイッチ１４と、インタフェイス１５と、電源回路１６とを備えて構成される。
【００３２】
前記送受信回路１２は、前記送受信回路２と同様に、前記通信線Ｎを介して、たとえば前記２４Ｖの交流で、前記伝送ユニットＣと通信を行う。前記ＣＰＵ１１は、マイクロコンピュータなどで実現され、アドレス指定されると、前記送受信回路１２から通信線Ｎを介して、伝送ユニットＣと通信を行い、前記制御信号や監視信号をやり取りする。前記表示ＬＥＤ１３は、このＴ／ＵＡの動作状態を表示するランプであり、たとえば正常と異常とが識別可能な表示を行う。
【００３３】
前記操作スイッチ１４は、ディップスイッチなどから成り、このＴ／ＵＡのアドレスを設定するためのものである。前記インタフェイス１５は、前記リレーＲと前記２４Ｖの交流で通信を行い、制御信号や監視信号をやり取りする。前記電源回路１６は、前記電力線からの電圧を整流・降圧し、５Ｖなどの予め定める低電圧に安定化させて前記ＣＰＵ１１へ供給するとともに、前記２４Ｖなどの予め定める高電圧に安定化させて前記インタフェイス１５に供給する。
【００３４】
図４（ａ）は、伝送ユニットＣからＴ／ＵＡおよびスイッチユニットＢなどへ送信される信号波形図である。前記制御信号や監視信号となるこの信号は、信号送出開始を示すスタートパルス信号ＳＴ、信号モードを示すモードデータ信号ＭＤ、各Ｔ／ＵＡおよびスイッチユニットＢなどを呼出す８ビットのアドレスデータ信号ＡＤ、負荷を制御するための制御データ信号ＣＤ、誤り制御のためのチェックサムデータ信号ＣＳならびにＴ／ＵＡおよびスイッチユニットＢなどからの返送待機信号ＷＴから構成されている±２４Ｖの交流の時分割多重信号であり、パルス幅変調によってデータが伝送されるようになっている。
【００３５】
一方、各Ｔ／ＵＡおよびスイッチユニットＢなどでは、一対の信号線を介して伝送された上記の信号のアドレスデータ信号ＡＤと自機に予め設定されているアドレスとを比較し、一致する場合にその信号の制御データ信号ＣＤを取込むとともに、前記返送待機信号ＷＴの期間に、スイッチ状態、監視データ、負荷動作確認データなどの監視データ信号を、前記一対の信号線間に低抵抗を接続して得られる電流モードの信号で返信する。このような動作を、予め定める周期毎にＴ／ＵＡ、スイッチユニットＢ、センサ入切用スイッチＥおよびセンサＧに対して順次行っており、スイッチユニットＢおよびセンサ入切用スイッチＥで何らかの操作が行われると、またＴ／ＵＡで異常が検知されたり、センサＧによって被検知対象の検知が行われるなどして、図４（ｂ）で示すような割込み信号が発生すると、伝送ユニットＣは、そのアドレスを検出して、監視信号を送信し、前記監視データ信号を返信させる。
【００３６】
上述のように構成される監視制御システムにおいて、注目すべきは、本発明では、前記センサＧは常時動作とし、前記伝送ユニットＣは、前記センサ入切用スイッチＥからの入力によって、センサＧの機能を停止する場合には、センサＧからの入力を無効とすることでセンサ機能を停止することである。具体的には、先ず図５で示すように、センサ入切用スイッチＥのスイッチＳ５の入切操作に対して、伝送ユニットＣ内ではセンサＧの出力に対する仮想Ｔ／Ｕ動作を行っており、この伝送ユニットＣが入切操作を受付けると、前記センサ入切用スイッチＥには、センサＧの入切を示す入切状態表示信号が送信され、表示素子Ｄ５で表示される。
【００３７】
次に、センサ入の場合には、図６および図７で示すように、センサＧが被検知対象を検知すると、伝送ユニットＣに対して、前記図４（ｂ）で示すような割込みを発生し、伝送ユニットＣは、前記制御信号や監視信号の送信を休止し、続く要求の監視状態となる。そして、センサＧからセンサ制御要求を受信すると、伝送ユニットＣはセンサＧに動作許可信号を与える。この動作許可信号によってセンサＧは動作割込みを発生し、伝送ユニットＣは、続く要求の監視状態となる。続いて、被検知対象の検知によってセンサＧから伝送ユニットＣに対して、負荷の制御要求が送信されると、該伝送ユニットＣは、Ｔ／Ｕを介して、センサＧに対応する照明機器を制御する。
【００３８】
これに対して、センサ切の場合には、図８および図９で示すように、センサＧが被検知対象を検知すると割込みを発生し、伝送ユニットＣは、前記制御信号や監視信号の送信を休止し、続く要求の監視状態となる。そして、センサＧからセンサ制御要求を受信すると、伝送ユニットＣはセンサＧに動作禁止信号を与える。この動作禁止信号によってセンサＧは被検知対象を検知しているにも拘わらず、以後の動作は休止する。
【００３９】
ここで、上述のようにセンサ入切状態を伝送ユニットＣ内の仮想センサ入切用Ｔ／Ｕの動作状態で判断すると、実際のリレー等の接点状態ではないので、電源断後に再投入した場合に、その状態を保持しておらず、センサ入切の動作状態が不定となってしまう可能性がある。そこで、伝送ユニットＣでは、電源断時に、メモリ４の不揮発領域に、センサ入切の動作状態を記憶しておく。起動時は、その不揮発領域にバックアップしておいたデータを読出すことによって、前回のセンサ入切状態で動作を再開する。
【００４０】
具体的には、電源監視回路６が電源回路５からの電源電圧の低下を検出すると、電源が断するまでの間に、ＣＰＵ１はセンサ入切状態をメモリ４の前記不揮発領域に記憶する。電源が再投入されると、ＣＰＵ１は記憶したメモリ４からセンサ入切状態を読出す。
【００４１】
このように構成することによって、図１において仮想線で示すように、センサＧの入切のために、従来、該センサＧ内に設けられていたＴ／ＵＡ０を、本発明では、伝送ユニットＣ内に仮想的に持たせることになる。したがって、予め定める範囲に制限されるアドレス空間を有効に使用し、多くのＴ／Ｕを収容することができる。具体的には、前記８ビットのアドレスデータ信号ＡＤによって定義されるアドレス空間は、図１０で示すように０〜２５５であり、このアドレス空間において、網掛けを施して示すセンサＴ／Ｕのアドレスを開放し、別途追加した照明機器制御用のＴ／Ｕに割当てることができる。
【００４２】
［実施の形態２］
図１１は、本発明の実施の他の形態に係る照明監視制御システムにおける一部の構成を示すブロック図である。この図１１は前述の図５に対応しており、センサ入切用スイッチＥのスイッチ操作の流れを示している。全体構成は、前述の図１で示す構成に類似し、対応する部分には同一の参照符号を付して示し、その説明を省略する。本システムで注目すべきは、センサＧ’が、前記照度センサとしての機能と人感センサとしての機能とのように、複数の検知対象項目を有する複合センサであり、さらにセンサ動作キャンセル用スイッチＨが設けられていることである。
【００４３】
前記照度センサとしての機能と人感センサとしての機能とを併せ持つ場合、たとえば人感センサで人の存在が検知されていても、照度センサでの検知結果を優先して、照度レベルが予め定める値以上であることが検知されていると、照明機器の点灯を行わないような予め定める検知対象項目で予め定める検知結果が得られると、残余の検知対象項目による検知機能を停止することがある。そのような場合、人感センサで人の存在が検知されているべきときに、照明機器の点灯が行われないと、検知機能停止中であるために点灯が行われないのか、人感センサの故障で点灯が行われないのかが分からなくなってしまう。
【００４４】
そこで本実施の形態では、前記センサ動作キャンセル用スイッチＨを設け、センサＧ’が検知機能停止中であると、該センサＧ’から前記伝送ユニットＣ’へ、そのことを表すセンサキャンセル状態通知信号を送信し、それに応答したセンサキャンセル状態表示信号によって、前記センサ動作キャンセル用スイッチＨの表示素子Ｄ６が、前記検知機能停止中であることを表示する。これによって、検知機能停止中であるために制御が行われないのか、センサＧ’の故障で制御が行われないのかを判定することができる。
【００４５】
前記モードデータ信号ＭＤ内のフラグの開放などで、実質的にアドレス空間を拡大することが可能であれば、図１２で示すように、Ｔ／Ｕ用のアドレス空間を独立させるようにしてもよい。この場合、センサ入切用スイッチは、伝送ユニットの仮想Ｔ／Ｕのために、前記Ｔ／Ｕ用のアドレス空間とは別途に設けたアドレスに割込みを発生し、それに応答して伝送ユニットは、内部でセンサ入切用の仮想Ｔ／Ｕの動作をして、前記Ｔ／Ｕ用のアドレス空間とは別途に設けたスイッチアドレスに状態を伝送し、表示させる。
【００４６】
ここで、前述のように伝送ユニットＣ，Ｃ’が仮想センサ入切用Ｔ／Ｕの動作を行う場合、センサ入切用スイッチＥからの入力を有効にするか否かを判断するために、起動時に、伝送ユニットＣ，Ｃ’はセンサＧ，Ｇ’が接続されているか否かを判断することが好ましい。この場合、伝送ユニットＣ，Ｃ’は、上述のようにＴ／Ｕ用のアドレス空間とは別途に設けたアドレス空間のセンサＴ／Ｕ用のアドレスに対して状態監視を行えばよい。すなわち、伝送ユニットＣ，Ｃ’がセンサＴ／Ｕ用のアドレスに前記監視信号を送信すると、センサＧ，Ｇ’が接続されていれば何らかの返信があり、未接続の場合は無返信となり、それから伝送ユニットＣ，Ｃ’はセンサＧ，Ｇ’の存在を検知をすることができる。そして、センサＧ，Ｇ’が存在する場合のみ、上述のセンサ入切の仮想Ｔ／Ｕ動作は有効となる。
【００４７】
また、センサ入切用スイッチＥから初回のセンサ入切操作が行われるまでは、センサ入切状態は不定となる。そこで、伝送ユニットＣ，Ｃ’は、初回のセンサ入切操作が行われるまではデフォルトとしてセンサ入にて動作することが好ましい。
【図面の簡単な説明】
【００４８】
【図１】本発明の実施の一形態に係る照明監視制御システムのブロック図である。
【図２】前記照明監視制御システムにおける伝送ユニットの電気的構成を示すブロック図である。
【図３】前記照明監視制御システムにおけるターミナルユニットの電気的構成を示すブロック図である。
【図４】伝送ユニットとターミナルユニットおよびスイッチユニットなどとの間で送受信される信号の波形図である。
【図５】図１で示す照明監視制御システムにおけるセンサ入切用スイッチのスイッチ操作に対する動作を説明するための図である。
【図６】図１で示す照明監視制御システムにおけるセンサ入の場合のセンサ動作を説明するための図である。
【図７】図１で示す照明監視制御システムにおけるセンサ入の場合のセンサ動作を説明するための図である。
【図８】図１で示す照明監視制御システムにおけるセンサ切の場合のセンサ動作を説明するための図である。
【図９】図１で示す照明監視制御システムにおけるセンサ切の場合のセンサ動作を説明するための図である。
【図１０】図１で示す照明監視制御システムにおけるアドレス空間を説明するための図である。
【図１１】本発明の実施の他の形態に係る照明監視制御システムにおけるセンサ入切用スイッチの操作に対する動作を説明するための図である。
【図１２】本発明の実施のさらに他の形態のアドレス空間を説明するための図である。
【符号の説明】
【００４９】
１，１１      ＣＰＵ
２，１２    送受信回路
３    短絡検出／表示回路
４    メモリ
５，１６    電源回路
６    電源監視回路
１３    表示ＬＥＤ
１４    操作スイッチ
１５    インタフェイス
Ａ０〜Ａｎ    ターミナルユニット（Ｔ／Ｕ）
Ｂ    スイッチユニット
Ｃ，Ｃ’      伝送ユニット
Ｄ１〜Ｄ６    表示素子
Ｅ    センサ入切用スイッチ
Ｇ，Ｇ’      センサ
Ｈ    センサ動作キャンセル用スイッチ
Ｌ１〜Ｌｘ    照明機器
Ｎ    通信線
Ｒ１〜Ｒｘ    リレー
Ｓ１〜Ｓ５    スイッチ
【図１】
2006093982.tif 000003
【図２】
2006093982.tif 000004
【図３】
2006093982.tif 000005
【図４】
2006093982.tif 000006
【図５】
2006093982.tif 000007
【図６】
2006093982.tif 000008
【図７】
2006093982.tif 000009
【図８】
2006093982.tif 000010
【図９】
2006093982.tif 000011
【図１０】
2006093982.tif 000012
【図１１】
2006093982.tif 000013
【図１２】
2006093982.tif 000014